(57)【特許請求の範囲】
【請求項１】
装置本体の一部に回転可能にして設けられた撮像ユニットと、
この撮像ユニットの回転に伴い装置本体の内部方向及び外部方向に面する当該撮像ユニットの一側面に設けられた撮像レンズと、
この撮像レンズにおける撮像軸上の撮像ユニット内部に配設された撮像素子と、
この撮像素子を前記撮像軸上で移動させて焦点距離を変化させる焦点距離移動機構と、
前記撮像ユニットの撮像レンズを設けた一側面が装置本体の内部方向に面した状態で、その撮像軸の到達延長上にある装置本体の側面に設けられた撮像窓と、
本体内部に設けられ、前記撮像窓を通し本体外方へ向けて光を照射する光源と、
前記撮像ユニットを回転させて前記撮像レンズを設けた一側面が外部方向に面した通常撮影モード時には、前記焦点距離移動機構により焦点距離を無限大位置に設定し、前記撮像ユニットを回転させて前記撮像レンズを設けた一側面が装置本体の内部方向に面した指紋撮影モード時には、前記焦点距離移動機構により焦点距離を近接位置に設定すると共に前記光源を点灯駆動する制御手段と、
を備えたことを特徴とする情報端末装置。
【請求項２】
装置本体の一端側をカバーしそのスライド開放時に該装置本体の一部を露出させ、スライド閉塞時に該装置本体の一部を保護するように取り付けられたスライドカバーと、
前記装置本体の一端側面に設けられた撮像レンズと、
この撮像レンズにおける撮像軸上の本体内部に配設された撮像素子と、
この撮像素子を前記撮像軸上で移動させて焦点距離を変化させる焦点距離移動機構と、
前記装置本体一端側面の撮像レンズからの撮像軸の到達延長上にあるスライドカバーの側面に設けられた撮像窓と、
前記装置本体の一端側面に設けられ、前記スライドカバーの撮像窓を通し当該スライドカバーの外方へ向けて光を照射する光源と、
前記スライドカバーをスライド閉塞させた通常撮影モード時には、前記焦点距離移動機構により焦点距離を無限大位置に設定し、前記スライドカバーをスライド開放させた指紋撮影モード時には、前記焦点距離移動機構により焦点距離を近接位置に設定すると共に前記光源を点灯駆動する制御手段と、
を備えたことを特徴とする情報端末装置。
【請求項３】
前記撮像窓の表裏面は、指の指紋面の凸曲面に対応させた凹曲面に形成されることを特徴とする請求項１または請求項２の何れか１項に記載の情報端末装置。
【請求項４】
さらに、
指紋撮影の要求の有無を判断する指紋要求判断手段と、
この指紋要求判断手段により指紋撮影の要求有りと判断された際に、前記制御手段により指紋撮影モード時の制御が成されていない場合には警告を発する報知手段と、
を備えたことを特徴とする請求項１または請求項２の何れか１項に記載の情報端末装置。
【発明の詳細な説明】
【０００１】
【発明の属する技術分野】
本発明は、撮像機能を備えたＰＤＡ(personal digital assistants)や携帯電話などの情報端末装置に関する。
【０００２】
【従来の技術】
近年、ＰＤＡや携帯電話などの携帯端末装置を使用してインターネットに接続し、所望のｗｅｂサイトへアクセスすることが日常的に行われるようになっている。
【０００３】
このようなインターネット上でのアクセス処理には、セキュリティ上の問題からしばしば本人照合が必要となる場面があるが、単なるＩＤコードや暗証番号の一致確認による本人照合では信頼性が低いため、指紋による本人照合機能の付加が望まれている。
【０００４】
【発明が解決しようとする課題】
一方、従来の携帯端末装置には、小型のＣＣＤ(charge coupled device)カメラを搭載した撮像機能を有するＰＤＡや携帯電話なども実用されているが、このような撮像機能付きの携帯端末装置において指紋画像の取り込みも行わせようとすると、通常撮影時と指紋撮影時とで異なる光学系を複数配置し、これを切り替えて使用しなければならないため、小型化に適した構成とするのが難しい問題がある。
【０００５】
本発明は、前記のような問題に鑑みてなされたもので、通常撮影時と指紋撮影時とで異なる光学系を複数配置する必要なく、小型化に適した構成とすることが可能になる撮像機能を備えた情報端末装置を提供することを目的とする。
【０００６】
【課題を解決するための手段】
すなわち、本発明に係る第１の情報端末装置は、装置本体の一部に回転可能にして設けられた撮像ユニットと、この撮像ユニットの回転に伴い装置本体の内部方向及び外部方向に面する当該撮像ユニットの一側面に設けられた撮像レンズと、この撮像レンズにおける撮像軸上の撮像ユニット内部に配設された撮像素子と、この撮像素子を前記撮像軸上で移動させて焦点距離を変化させる焦点距離移動機構と、前記撮像ユニットの撮像レンズを設けた一側面が装置本体の内部方向に面した状態で、その撮像軸の到達延長上にある装置本体の側面に設けられた撮像窓と、本体内部に設けられ、前記撮像窓を通し本体外方へ向けて光を照射する光源と、前記撮像ユニットを回転させて前記撮像レンズを設けた一側面が外部方向に面した通常撮影モード時には、前記焦点距離移動機構により焦点距離を無限大位置に設定し、前記撮像ユニットを回転させて前記撮像レンズを設けた一側面が装置本体の内部方向に面した指紋撮影モード時には、前記焦点距離移動機構により焦点距離を近接位置に設定すると共に前記光源を点灯駆動する制御手段と、を備えたことを特徴とする。
【０００７】
また本発明の第２の情報端末装置は、装置本体の一端側をカバーしそのスライド開放時に該装置本体の一部を露出させ、スライド閉塞時に該装置本体の一部を保護するように取り付けられたスライドカバーと、前記装置本体の一端側面に設けられた撮像レンズと、この撮像レンズにおける撮像軸上の本体内部に配設された撮像素子と、この撮像素子を前記撮像軸上で移動させて焦点距離を変化させる焦点距離移動機構と、前記装置本体一端側面の撮像レンズからの撮像軸の到達延長上にあるスライドカバーの側面に設けられた撮像窓と、前記装置本体の一端側面に設けられ、前記スライドカバーの撮像窓を通し当該スライドカバーの外方へ向けて光を照射する光源と、前記スライドカバーをスライド閉塞させた通常撮影モード時には、前記焦点距離移動機構により焦点距離を無限大位置に設定し、前記スライドカバーをスライド開放させた指紋撮影モード時には、前記焦点距離移動機構により焦点距離を近接位置に設定すると共に前記光源を点灯駆動する制御手段と、を備えたことを特徴とする。
【０００８】
【発明の実施の形態】
以下、図面を参照して本発明の実施の形態について説明する。
【０００９】
（第１実施形態）
図１は、本発明の情報端末装置の第１実施形態に係る携帯端末装置の構成を示す図であり、同図（Ａ）はその外観構成を示す正面斜視図、同図（Ｂ）はその撮像ユニットの構成を示す部分断面図である。
【００１０】
この携帯端末装置本体１０の正面１０ａには、数字，文字，記号の入力キー、発信／着信の指示キー、各種機能キー、選択／カーソルキーなどを備えたキー入力部１１、及び液晶表示部１２が設けられ、また、本体１０の上面部１０ｂには、電話通信用のアンテナ１３が設けられる。
【００１１】
また、本体１０の下面部１０ｃには、撮像窓１４が設けられ、この撮像窓１４には撮像レンズ１５が取り付けられる。
【００１２】
上記撮像窓１４から撮像レンズ１５を介した撮像軸Ｑ上にある本体１０の内部には、ＣＣＤを使用した撮像素子１６が配設され、この撮像素子１６は、ピエゾアクチュエータを使用したフォーカス位置移動装置１７によって、前記撮像軸Ｑ上に沿ったカメラモード位置Ｐ１と指紋認証モード位置Ｐ２との２焦点位置にスライド切り替え可能な機構として取り付けられる。
【００１３】
また、前記撮像レンズ１５と撮像素子１６との間における撮像軸Ｑの側方には、指紋認証モードにおいて点灯されるＬＥＤを使用した光源１８が設けられ、この光源１８からの照射光Ｒは、同撮像レンズ１５と撮像素子１６との間における撮像軸Ｑ上に配置されたハーフミラー１９の反射によって、撮像レンズ１５及び撮像窓１４を介し本体１０の下方向へ放射され、指Ｆの指紋取り込み範囲を照射する。
【００１４】
なお、前記撮像素子１６がフォーカス位置移動装置１７によってカメラモード位置Ｐ１にスライドされたときの焦点距離は無限大に設定され、また、指紋認証モード位置Ｐ２にスライドされたときの焦点距離は、光源１８による照射光Ｒの照射範囲に指Ｆの指紋読み取り範囲（例えば第１関節より先端側）を合わせた状態での該指Ｆの指紋面までの距離（近接）として設定される。
【００１５】
図２は前記携帯端末装置の電子回路の構成を示すブロック図である。
【００１６】
この携帯端末装置の電子回路は、コンピュータである制御部（ＣＰＵ）２１を備えている。
【００１７】
制御部（ＣＰＵ）２１は、ＥＥＰ−ＲＯＭなどを使用した記憶装置２２に予め記憶された本端末装置制御用のプログラムに従って回路各部の動作を制御するもので、この記憶装置２２に記憶された端末装置制御用プログラムは、例えば前記キー入力部１１の操作に応じてキーユニット２３から入力されるキー操作信号に応じて起動される。
【００１８】
前記記憶装置２２には、本端末装置制御用のプログラムとして、その全体の動作を司るシステムプログラム２２ａ、電話基地局との通信処理を行うための通信制御プログラム２２ｂ、指紋照合処理を行うための指紋照合プログラム２２ｃが予め記憶される他に、本端末装置本体１０の所有者の指紋画像が登録された登録指紋画像データ２２ｄ、本端末装置本体１０の電話番号が登録された登録電話番号データ２２ｅなどが記憶される。
【００１９】
また、制御部（ＣＰＵ）２１には、前記記憶装置２２、キーユニット２３の他に、電話基地局との送受信回路や音声入出力回路を中心として構成される通信ユニット２４、前記撮像素子１６により撮像された光学画像データをデジタル処理して取り込むための撮像ユニット２５、種々の作業用データメモリを備えたＲＡＭ２６、そして、種々の表示データを液晶表示部１２に画面表示させるための液晶駆動回路などを備えた表示ユニット２７が接続される。
【００２０】
前記ＲＡＭ２６には、カメラモード又は指紋認証モード何れかの現在設定中のモードを示すデータが記憶されるモードデータメモリ２６ａ、前記撮像ユニット２５におけるフォーカス位置移動装置１７による撮像素子１６のスライド位置がカメラモード位置Ｐ１にあるか又は指紋認証モード位置Ｐ２にあるかを示すデータが記憶される撮像位置データメモリ２６ｂ、指紋認証モードにおいて撮像ユニット２５から取り込まれた照合対象となる指紋画像データが記憶される照合指紋画像メモリ２６ｃ、知人や友人の電話番号や氏名が適宜登録されて記憶される電話帳データメモリ２６ｄ、そして、前記記憶装置２２に記憶された各種の制御プログラムに従って制御部（ＣＰＵ）２１に入出力される種々のデータが必要に応じて一時的に記憶保持されるワークメモリ２６ｅなどが用意される。
【００２１】
なお、前記撮像ユニット２５のフォーカス位置移動装置１７による撮像素子１６のカメラモード位置Ｐ１と指紋認証モード位置Ｐ２との切り替え動作は、キー入力部１１におけるキー操作での指示に応じて実行される。
【００２２】
次に、前記構成の携帯端末装置の動作について説明する。
【００２３】
図３は前記携帯端末装置の総合処理を示すフローチャートである。
【００２４】
キー入力部１１の操作により電源がオンされると、本人以外の使用を排除するために、まず、ＲＡＭ２６内のモードデータメモリ２６ａに対し指紋認証モードを示すデータがセットされて指紋照合プログラム２２ｃが起動され、指紋照合処理（図４参照）に移行される（ステップＳ１→ＳＡ）。
【００２５】
図４は前記携帯端末装置の総合処理に伴う指紋照合処理を示すフローチャートである。
【００２６】
この指紋照合処理では、記憶装置２２あるいはインターネットのｗｅｂサイトに登録されている装置本体１０の所有者の登録指紋画像データ２２ｄと、撮像ユニット２５によって現時点で取り込まれた照合指紋画像データとの照合・認証が行われるもので、この指紋照合処理に入ると、ＲＡＭ２６内の撮像位置データメモリ２６ｂに記憶されている撮像素子１６のスライド位置を示すデータが読み出され、指紋認証モード位置Ｐ２に切り替えられている“ＯＫ”か、又は切り替えられていない“ＮＧ”かが判断される（ステップＡ１）。
【００２７】
ここで、前記撮像ユニット２５における撮像素子１６のスライド位置は、指紋認証モード位置Ｐ２に切り替えられている“ＯＫ”と判断されると、装置本体１０下面部１０ｃの撮像窓１４から放射される照射光Ｒの照射範囲に指Ｆの第１関節より先端の指紋範囲を照射させた状態でのユーザの指紋画像が、撮像レンズ１５を介して撮像素子１６により読み取られ、ＲＡＭ２６内の照合指紋画像メモリ２６ｃに記憶される（ステップＡ１→Ａ２）。
【００２８】
すると、前記ＲＡＭ２６内の照合指紋画像メモリ２６ｃに記憶された照合指紋画像と、記憶装置２２あるいはインターネットのｗｅｂサイトに登録されている装置本体１０の所有者の登録指紋画像データ２２ｄとの、画像の一致／不一致による照合処理が行われ、現ユーザが所有者か否か認証される（ステップＡ３）。
【００２９】
一方、前記ステップＡ１において、撮像ユニット２５における撮像素子１６のスライド位置は、指紋認証モード位置Ｐ２に切り替えられていない“ＮＧ”と判断された場合には、ピー音又はメッセージ表示により前記指紋認証モード位置Ｐ２への切り替えが成されていないことがエラーとしてユーザに報知される（ステップＡ１→Ａ４）。
【００３０】
これにより、キー入力部１１におけるキー操作での指示に応じて、フォーカス位置移動装置１７による撮像素子１６のカメラモード位置Ｐ１から指紋認証モード位置Ｐ２への切り替えが実行されると、前記ステップＡ２からの処理に移行され、照射光Ｒの照射範囲に差し出したユーザの指紋画像が撮像素子１６に読み取られると共に、この読み取られた指紋画像を照合指紋画像として登録指紋画像との照合・認証処理が行われる（ステップＡ５→Ａ２，Ａ３）。
【００３１】
こうした指紋照合処理（ステップＳＡ）を経てユーザが所有者本人であることが認証されると、通信制御プログラム２２ｂに従って通信ユニット２４の動作が制御され、所望の相手との電話による通信処理やインターネット上での所望のｗｅｂサイトとのアクセス処理など、ユーザ所望の各種の処理が実行される（ステップＳ２）。
【００３２】
そして、例えば前記インターネット上での所望のｗｅｂサイトとのアクセス処理に伴い、指紋照合によるアクセスユーザの認証要求が受信された場合には、前記同様の指紋照合処理（図４参照）へ移行され（ステップＳ３→ＳＡ）、現ユーザがアクセス中のｗｅｂサイトに登録されているユーザであるか否かの指紋照合による認証処理が行われる（ステップＡ１〜Ａ５）。
【００３３】
したがって、前記構成の第１実施形態の携帯端末装置における撮像機能によれば、撮像窓１４から撮像レンズ１５を介した撮像軸Ｑ上に配設した撮像素子１６を、フォーカス位置移動装置１７により焦点距離が無限大に設定されるカメラモード位置Ｐ１と、光源１８による照射光Ｒの照射範囲に指Ｆの指紋読み取り範囲（例えば第１関節より先端側）を合わせた状態での該指Ｆの指紋面までの距離（近接）に設定される指紋認証モード位置Ｐ２との２焦点位置間で切り替え、共通の光学系で通常の撮影と指紋画像の取り込みが行えるようにしたので、小型な装置構成で、しかも良好な指紋画像を得ることができるようになる。
【００３４】
（第２実施形態）
図５は、本発明の情報端末装置の第２実施形態に係る携帯端末装置の外観構成を示す図であり、同図（Ａ）はその指紋認証モード切り替え設定時の外観構成を示す正面斜視図、同図（Ｂ）はそのカメラモード切り替え設定時の外観構成を示す正面斜視図である。
【００３５】
図６は前記第２実施形態に係る携帯端末装置の撮像ユニット２５Ａの構成を示す部分断面図であり、同図（Ａ）は指紋認証モード切り替え設定時の指紋撮像状態を示す図、同図（Ｂ）はカメラモード切り替え設定時の通常撮影状態を示す図である。
【００３６】
この第２実施形態における携帯端末装置では、本体１０Ａの上端部に対し、その撮像方向を本体１０Ａの正面１０ａに対向する方向（通常撮影方向）と本体１０Ａの内部方向（指紋撮影方向）とに、矢印ａで示すように、上下９０°回転させて切り替え可能な撮像ユニット２５Ａが設けられる。
【００３７】
撮像ユニット２５Ａには、前記本体１０Ａの正面１０ａに対向する方向（通常撮影方向）と本体１０Ａの内部方向（指紋撮影方向）とに切り替え可能な一側面に撮像レンズ１５が設けられ、この撮像レンズ１５を介した撮像軸Ｑの奥側に撮像素子１６が配設される。
【００３８】
この撮像素子１６は、ピエゾアクチュエータを使用したフォーカス位置移動装置１７によって、撮像ユニット２５Ａを通常撮影方向に切り替え操作した場合と指紋撮影方向に切り替え操作した場合とで、前記撮像軸Ｑ上に沿ったカメラモード（無限大焦点）位置Ｐ１と指紋認証モード（近接焦点）位置Ｐ２との２焦点位置にスライド切り替え動作する機構として取り付けられる。
【００３９】
また、本体１０Ａ内部の上端部における前記撮像ユニット２５Ａと隣接する位置には、当該撮像ユニット２５Ａの撮像方向を本体１０Ａの内部方向（指紋撮影方向）へ切り替えた状態で、その撮像軸Ｑを屈折させて本体１０Ａ正面１０ａの撮像窓（透明板）１４の方向に導くためのハーフミラー１９が設けられる。
【００４０】
さらに、前記撮像窓１４の配設位置に対応する本体１０Ａの背面側の内壁には、前記撮像ユニット２５Ａの撮像方向が指紋撮影方向に切り替えられた際に点灯駆動される光源１８が設けられ、この光源１８からの照射光Ｒは、前記ハーフミラー１９を透過して撮像窓１４から外部に放射され、当該撮像窓１４に面して押し当てられる指Ｆの指紋面を照射する。
【００４１】
すなわち、指紋認証モード切り替え設定時には、図５（Ａ）及び図６（Ａ）に示すように、撮像ユニット２５Ａの撮像方向は本体１０Ａの内部方向へ向けた指紋撮影方向に切り替えられてその焦点距離が近接撮影状態（Ｐ２）となり、撮像窓１４に面して押し当てられた指Ｆの指紋が、光源１８からの照射光Ｒにより照明され、ハーフミラー１９及び撮像レンズ１５を介して撮像素子１６により撮像される。
【００４２】
また、カメラモード切り替え設定時には、図５（Ｂ）及び図６（Ｂ）に示すように、撮像ユニット２５Ａの撮像方向は本体１０Ａの正面１０ａと対向する方向の通常撮影方向に切り替えられてその焦点距離が無限大撮影状態（Ｐ１）となり、同方向にある画像が直接撮像レンズ１５から取り込まれて撮像素子１６により撮像される。
【００４３】
なお、この第２実施形態における携帯端末装置の電子回路の構成とその動作は、前記図２乃至図４で示した第１実施形態における携帯端末装置の場合と略同様であり、その説明は省略する。
【００４４】
したがって、前記構成の第２実施形態の携帯端末装置における撮像機能によれば、撮像レンズ１５とフォーカス位置移動装置１７及び撮像素子１６を組み込んだ撮像ユニット２５Ａを、装置本体１０Ａの上端部において、その撮像方向が本体１０Ａの正面１０ａに対向する方向（通常撮影方向）と本体１０Ａの内部方向（指紋撮影方向）に回転切り替え可能にして設け、指紋認証モード切り替え設定時には、近接撮影状態（Ｐ２）として本体１０Ａ上端内部の前記撮像ユニット２５Ａの直下に配置したハーフミラー１９を介して、本体１０Ａ正面１０ａの撮像窓１４上に押し当てた指Ｆの指紋面が、光源１８からの照射光Ｑにより照明されて撮像ユニット２５Ａ内の撮像素子１６により撮像されるようにしたので、共通の光学系で通常の撮影と指紋画像の取り込みを行うことができ、小型な装置構成で、しかも良好な指紋画像を得ることができる。
【００４５】
（第３実施形態）
図７は、本発明の情報端末装置の第３実施形態に係る携帯端末装置の外観構成を示す図であり、同図（Ａ）はその指紋認証モード切り替え設定時の外観構成を示す正面斜視図、同図（Ｂ）はそのカメラモード切り替え設定時の外観構成を示す正面斜視図である。
【００４６】
図８は前記第３実施形態に係る携帯端末装置の撮像ユニット２５Ｂの構成を示す部分断面図であり、同図（Ａ）は指紋認証モード切り替え設定時の指紋撮像状態を示す図、同図（Ｂ）はカメラモード切り替え設定時の通常撮影状態を示す図である。
【００４７】
この第３実施形態における携帯端末装置では、本体１０Ｂの上端左半分部を、その撮像方向を本体１０Ｂの正面１０ａに対向する方向（通常撮影方向）と本体１０Ｂの上端右半分部の内部方向（指紋撮影方向）とに、矢印ｂで示すように、左右９０°回転させて切り替え可能な撮像ユニット２５Ｂとして構成する。
【００４８】
撮像ユニット２５Ｂには、前記本体１０Ｂの正面１０ａに対向する方向（通常撮影方向）と本体１０Ｂの上端右半分部の内部方向（指紋撮影方向）とに切り替え可能な一側面に撮像レンズ１５が設けられ、この撮像レンズ１５を介した撮像軸Ｑの奥側に撮像素子１６が配設される。
【００４９】
この撮像素子１６は、ピエゾアクチュエータを使用したフォーカス位置移動装置１７によって、撮像ユニット２５Ｂを通常撮影方向に切り替え操作した場合と指紋撮影方向に切り替え操作した場合とで、前記撮像軸Ｑ上に沿ったカメラモード（無限大焦点）位置Ｐ１と指紋認証モード（近接焦点）位置Ｐ２との２焦点位置にスライド切り替え動作する機構として取り付けられる。
【００５０】
また、本体１０Ｂの上端右半分部における前記撮像ユニット２５Ｂと反対側の側面には、撮像窓（透明板）１４が設けられる。
【００５１】
さらに、前記撮像窓１４が配設される本体１０Ｂの上端右半分部の内壁には、前記撮像ユニット２５Ｂの撮像方向が指紋撮影方向に切り替えられた際に点灯駆動される光源１８が設けられ、この光源１８からの照射光Ｒは、撮像窓１４から外部に放射され、当該撮像窓１４に面して押し当てられる指Ｆの指紋面を照射する。
【００５２】
すなわち、指紋認証モード切り替え設定時には、図７（Ａ）及び図８（Ａ）に示すように、撮像ユニット２５Ｂの撮像方向は本体１０Ｂの上端右半分部の内部方向へ向けた指紋撮影方向に切り替えられてその焦点距離が近接撮影状態（Ｐ２）となり、撮像窓１４に面して押し当てられた指Ｆの指紋が、光源１８からの照射光Ｒにより照明され、撮像レンズ１５を介して撮像素子１６により撮像される。
【００５３】
また、カメラモード切り替え設定時には、図７（Ｂ）及び図７（Ｂ）に示すように、撮像ユニット２５Ｂの撮像方向は本体１０Ｂの正面１０ａと対向する方向の通常撮影方向に切り替えられてその焦点距離が無限大撮影状態（Ｐ１）となり、同方向にある画像が直接撮像レンズ１５から取り込まれて撮像素子１６により撮像される。
【００５４】
なお、この第３実施形態における携帯端末装置の電子回路の構成とその動作は、前記図２乃至図４で示した第１実施形態における携帯端末装置の場合と略同様であり、その説明は省略する。
【００５５】
したがって、前記構成の第３実施形態の携帯端末装置における撮像機能によれば、撮像レンズ１５とフォーカス位置移動装置１７及び撮像素子１６を組み込んだ撮像ユニット２５Ｂを、装置本体１０Ｂの上端左半分部として、その撮像方向が本体１０Ｂの正面１０ａに対向する方向（通常撮影方向）と本体１０Ｂの上端右半分部の内部方向（指紋撮影方向）に回転切り替え可能にして設け、指紋認証モード切り替え設定時には、近接撮影状態（Ｐ２）として本体１０Ｂの上端右半分部を通してその右側面の撮像窓１４に面して押し当てた指Ｆの指紋面が、光源１８からの照射光Ｑにより照明されて撮像ユニット２５Ｂ内の撮像素子１６により撮像されるようにしたので、共通の光学系で通常の撮影と指紋画像の取り込みを行うことができ、小型な装置構成で、しかも良好な指紋画像を得ることができる。
【００５６】
（第４実施形態）
図９は、本発明の情報端末装置の第４実施形態に係る携帯端末装置の外観構成を示す図であり、同図（Ａ）はそのカメラモード切り替え設定時の外観構成を示す正面斜視図、同図（Ｂ）はその指紋認証モード切り替え設定時の外観構成を示す正面斜視図である。
【００５７】
図１０は前記第４実施形態に係る携帯端末装置の撮像ユニットの構成を示す部分断面図であり、同図（Ａ）はカメラモード切り替え設定時の通常撮影状態を示す図、同図（Ｂ）は指紋認証モード切り替え設定時の指紋撮影状態を示す図である。
【００５８】
この第４実施形態における携帯端末装置は、装置本体１０Ｃのキー入力部１１ａが、矢印ｃで示す方向にスライド可能な保護カバー２０で被われ、この保護カバー２０の下端部には透明板の撮像窓１４が設けられる。
【００５９】
また、前記保護カバー２０で被われるキー入力部１１ａの下端部には、撮像レンズ１５が取り付けられ、この撮像レンズ１５より本体１０Ｃの内部側の撮像軸Ｑ上には、撮像素子１６が配設される。
【００６０】
この撮像素子１６は、ピエゾアクチュエータを使用したフォーカス位置移動装置１７によって、保護カバー２０を閉塞操作した場合と開放操作した場合とで、前記撮像軸Ｑ上に沿ったカメラモード（無限大焦点）位置Ｐ１と指紋認証モード（近接焦点）位置Ｐ２との２焦点位置にスライド切り替え動作する機構として取り付けられる。
【００６１】
さらに、前記キー入力部１１ａの下端部における撮像レンズ１５と隣接する位置には、前記保護カバー２０がスライドされてキー入力部１１ａが開放された際に点灯駆動される光源１８が設けられ、この光源１８からの照射光Ｒは、撮像窓１４から外部に放射され、当該撮像窓１４に面して押し当てられる指Ｆの指紋面を照射する。
【００６２】
ここで、前記保護カバー２０によりキー入力部１１ａを被った状態をカメラモードの設定に伴う通常撮影位置、また、保護カバー２０がスライドされてキー入力部１１ａが開放された状態を指紋認証モードの設定に伴う指紋撮影位置とする。
【００６３】
すなわち、カメラモード切り替え設定時には、図９（Ａ）及び図１０（Ａ）に示すように、保護カバー２０は閉じられて通常撮影位置に切り替えられその焦点距離が無限大撮影状態（Ｐ１）となり、撮像窓１４に面した方向にある画像が当該撮像窓１４及び撮像レンズ１５を介して取り込まれ撮像素子１６により撮像される。
【００６４】
また、指紋認証モード切り替え設定時には、図９（Ｂ）及び図１０（Ｂ）に示すように、保護カバー２０は開放されて指紋撮影位置に切り替えられその焦点距離が近接撮影状態（Ｐ２）となり、撮像窓１４に面して押し当てられた指Ｆの指紋が、光源１８からの照射光Ｒにより照明され、撮像レンズ１５を介して撮像素子１６により撮像される。
【００６５】
なお、この第４実施形態における携帯端末装置の電子回路の構成とその動作は、前記図２乃至図４で示した第１実施形態における携帯端末装置の場合と略同様であり、その説明は省略する。
【００６６】
したがって、前記構成の第４実施形態の携帯端末装置における撮像機能によれば、キー入力部１１ａの保護カバー２０により被われる該キー入力部１１ａの下端部に、撮像レンズ１５とフォーカス位置移動装置１７及び撮像素子１６を組み込んだ撮像ユニットを設けると共に、その撮像レンズ１５が対面する保護カバー２０の下端面に撮像窓１４を設け、保護カバー２０をスライドさせてキー入力部１１ａを開放した指紋撮影位置への切り替え設定時には、近接撮影状態（Ｐ２）として当該保護カバー２０下端の撮像窓１４に面して押し当てた指Ｆの指紋面が、光源１８からの照射光Ｑにより照明されてキー入力部１１ａ下端内部の撮像素子１６により撮像されるようにしたので、共通の光学系で通常の撮影と指紋画像の取り込みを行うことができ、小型な装置構成で、しかも良好な指紋画像を得ることができる。
【００６７】
（第５実施形態）
図１１は、本発明の情報端末装置の第５実施形態に係る携帯端末装置の外観構成を示す図であり、同図（Ａ）はその未使用設定時の外観構成を示す正面斜視図、同図（Ｂ）はその指紋認証モード切り替え設定時の外観構成を示す正面斜視図である。
【００６８】
図１２は前記第５実施形態に係る携帯端末装置の撮像ユニットの構成を示す部分断面図であり、同図（Ａ）は未使用設定時の撮像ユニット収納状態を示す図、同図（Ｂ）は指紋認証モード切り替え設定時の指紋撮影状態を示す図である。
【００６９】
この第５実施形態における携帯端末装置は、装置本体１０Ｄのキー入力部１１ａが、矢印ｃで示す方向にスライド可能な保護カバー２０Ａで被われ、この保護カバー２０Ａの正面下部には透明板の撮像窓１４が設けられる。
【００７０】
また、前記保護カバー２０Ａで被われるキー入力部１１ａの下端部には、撮像レンズ１５が取り付けられ、この撮像レンズ１５より本体１０Ｄの内部側の撮像軸Ｑ上には、撮像素子１６が配設される。
【００７１】
この撮像素子１６は、ピエゾアクチュエータを使用したフォーカス位置移動装置１７によって、前記撮像軸Ｑ上に沿ったカメラモード（無限大焦点）位置Ｐ１と指紋認証モード（近接焦点）位置Ｐ２との２焦点位置にスライド切り替え動作する機構として取り付けられる。
【００７２】
なお、前記フォーカス位置移動装置１７による撮像素子１６のカメラモード位置Ｐ１と指紋認証モード位置Ｐ２との切り替え動作は、キー入力部１１におけるキー操作での指示に応じて実行される。
【００７３】
さらに、前記キー入力部１１ａの下端部における撮像レンズ１５と隣接する位置には、前記保護カバー２０Ａがスライドされてキー入力部１１ａが開放された際に点灯駆動される光源１８が設けられ、この光源１８からの照射光Ｒは、前記撮像レンズ１５と対面する保護カバー２０Ａの底面上に支持ばね３０ａ，３０ｂを介して取り付けられたミラー３０により９０°反射されて前記撮像窓１４から外部に放射され、当該撮像窓１４に面して押し当てられる指Ｆの指紋面を照射する。
【００７４】
ここで、前記保護カバー２０Ａによりキー入力部１１ａを被った状態を未使用設定時の撮像ユニット収納位置、また、保護カバー２０Ａがスライドされてキー入力部１１ａが開放された状態を指紋認証モードの設定に伴う指紋撮影位置とする。
【００７５】
すなわち、未使用設定時には、図１１（Ａ）及び図１２（Ａ）に示すように、保護カバー２０Ａは閉じられて撮像ユニット収納位置に切り替えられ、保護カバー２０Ａ内部のミラー３０は、キー入力部１１ａの下端部に当接して押し込まれ当該保護カバー２０Ａの底面との隙間に収容される。
【００７６】
また、指紋認証モード切り替え設定時には、図１１（Ｂ）及び図１２（Ｂ）に示すように、保護カバー２０は開放されて指紋撮影位置に切り替えられその焦点距離は近接撮影状態（Ｐ２）とされ、撮像窓１４に面して押し当てられた指Ｆの指紋が、ミラー３０により反射される光源１８からの照射光Ｒにより照明され、当該ミラー３０及び撮像レンズ１５を介して撮像素子１６により撮像される。
【００７７】
なお、この第５実施形態における携帯端末装置の電子回路の構成とその動作は、前記図２乃至図４で示した第１実施形態における携帯端末装置の場合と略同様であり、その説明は省略する。
【００７８】
したがって、前記構成の第５実施形態の携帯端末装置における撮像機能によれば、キー入力部１１ａの保護カバー２０Ａにより被われる該キー入力部１１ａの下端部に、撮像レンズ１５とフォーカス位置移動装置１７及び撮像素子１６を組み込んだ撮像ユニットを設けると共に、保護カバー２０Ａの正面１０ａには撮像窓１４を、また撮像レンズ１５と対面する保護カバー２０Ａの底面には該撮像レンズ１５からの撮像軸Ｑを前記撮像窓１４の方向へ屈折させる支持ばね３０ａ，３０ｂにより支持されたミラー３０を設け、保護カバー２０Ａを閉じたときにはミラー３０はキー入力部１１ａの下端部により押し込まれて保護カバー２０Ａの底面との隙間に収容され、保護カバー２０Ａをスライドさせてキー入力部１１ａを開放した指紋撮影位置への切り替え設定時には、近接撮影状態（Ｐ２）として当該保護カバー２０Ａ正面の撮像窓１４に面して押し当てた指Ｆの指紋面が、光源１８からミラー３０を介した照射光Ｑにより照明されてキー入力部１１ａ下端内部の撮像素子１６により撮像されるようにしたので、小型な装置構成で、しかも良好な指紋画像を得ることができる。
【００７９】
なお、支持ばね３０ａ，３０ｂの代わりに保護カバー２０Ａの移動に連動するリンク機構を用いて、ミラー３０を所定位置に配置するようにしてもよい。
【００８０】
また、前記各実施形態において指Ｆの指紋面が押し当てられて当該指紋画像の読み取り面となる撮像窓（透明板）１４は、例えば図１４に示すように、その表面を平面として構成したが、例えば図１３に示すように、表裏両面を凹曲面に形成した撮像窓（透明板）１４ａを使用し、凸曲面である指Ｆの指紋面形状に合わせると共に、その全面に渡り擬似的に焦点距離が合うようにすることで、当該指紋面の広い範囲にわたり良好な指紋画像を撮像できる構成としてもよい。
【００８１】
図１３は前記携帯端末装置において表裏凹面形状の撮像窓１４ａを使用した場合の指紋撮像光学系を示す図である。
【００８２】
図１４は前記携帯端末装置において表裏平面形状の撮像窓１４を使用した場合の指紋撮像光学系を示す図である。
【００８３】
【発明の効果】
以上のように、本発明に係る第１の情報端末装置によれば、撮像ユニットを回転させて撮像レンズを設けた一側面が外部方向に面した通常撮影モード時には、焦点距離移動機構により焦点距離を無限大位置に設定し、撮像ユニットを回転させて撮像レンズを設けた一側面が装置本体の内部方向に面した指紋撮影モード時には、焦点距離移動機構により焦点距離を近接位置に設定すると共に光源を点灯駆動するようにしたことにより、１つの撮像素子とレンズ系を備えた撮像ユニットであっても、撮像ユニットの回転により通常撮影モードと指紋撮影モードとの切り替えに応じた焦点距離に切り替えられるので、光学系を複数配置せずに、小型な装置で通常画像撮影と指紋画像撮影が行えるようになる。
【００８４】
また本発明に係る第２の情報端末装置によれば、スライドカバーをスライド閉塞させた通常撮影モード時には、焦点距離移動機構により焦点距離を無限大位置に設定し、スライドカバーをスライド開放させた指紋撮影モード時には、焦点距離移動機構により焦点距離を近接位置に設定すると共に光源を点灯駆動するようにしたことにより、１つの撮像素子とレンズ系を備えた撮像ユニットであっても、スライドカバーのスライド位置により通常撮影モードと指紋撮影モードとの切り替えに応じた焦点距離に切り替えられるので、光学系を複数配置せずに、小型な装置で通常画像撮影と指紋画像撮影が行えるようになる。
【図面の簡単な説明】
【図１】本発明の情報端末装置の第１実施形態に係る携帯端末装置の構成を示す図であり、同図（Ａ）はその外観構成を示す正面斜視図、同図（Ｂ）はその撮像ユニットの構成を示す部分断面図。
【図２】前記携帯端末装置の電子回路の構成を示すブロック図。
【図３】前記携帯端末装置の総合処理を示すフローチャート。
【図４】前記携帯端末装置の総合処理に伴う指紋照合処理を示すフローチャート。
【図５】本発明の情報端末装置の第２実施形態に係る携帯端末装置の外観構成を示す図であり、同図（Ａ）はその指紋認証モード切り替え設定時の外観構成を示す正面斜視図、同図（Ｂ）はそのカメラモード切り替え設定時の外観構成を示す正面斜視図。
【図６】前記第２実施形態に係る携帯端末装置の撮像ユニットの構成を示す部分断面図であり、同図（Ａ）は指紋認証モード切り替え設定時の指紋撮像状態を示す図、同図（Ｂ）はカメラモード切り替え設定時の通常撮影状態を示す図。
【図７】本発明の情報端末装置の第３実施形態に係る携帯端末装置の外観構成を示す図であり、同図（Ａ）はその指紋認証モード切り替え設定時の外観構成を示す正面斜視図、同図（Ｂ）はそのカメラモード切り替え設定時の外観構成を示す正面斜視図。
【図８】前記第３実施形態に係る携帯端末装置の撮像ユニットの構成を示す部分断面図であり、同図（Ａ）は指紋認証モード切り替え設定時の指紋撮像状態を示す図、同図（Ｂ）はカメラモード切り替え設定時の通常撮影状態を示す図。
【図９】本発明の情報端末装置の第４実施形態に係る携帯端末装置の外観構成を示す図であり、同図（Ａ）はそのカメラモード切り替え設定時の外観構成を示す正面斜視図、同図（Ｂ）はその指紋認証モード切り替え設定時の外観構成を示す正面斜視図。
【図１０】前記第４実施形態に係る携帯端末装置の撮像ユニットの構成を示す部分断面図であり、同図（Ａ）はカメラモード切り替え設定時の通常撮影状態を示す図、同図（Ｂ）は指紋認証モード切り替え設定時の指紋撮影状態を示す図。
【図１１】本発明の情報端末装置の第５実施形態に係る携帯端末装置の外観構成を示す図であり、同図（Ａ）はその未使用設定時の外観構成を示す正面斜視図、同図（Ｂ）はその指紋認証モード切り替え設定時の外観構成を示す正面斜視図。
【図１２】前記第５実施形態に係る携帯端末装置の撮像ユニットの構成を示す部分断面図であり、同図（Ａ）は未使用設定時の撮像ユニット収納状態を示す図、同図（Ｂ）は指紋認証モード切り替え設定時の指紋撮影状態を示す図。
【図１３】前記携帯端末装置において表裏凹面形状の撮像窓を使用した場合の指紋撮像光学系を示す図。
【図１４】前記携帯端末装置において表裏平面形状の撮像窓１４を使用した場合の指紋撮像光学系を示す図。
【符号の説明】
１０、１０Ａ、１０Ｂ、１０Ｃ、１０Ｄ…携帯端末装置本体
１０ａ…本体正面
１０ｂ…本体上面部
１０ｃ…本体下面部
１１、１１ａ…キー入力部
１２  …液晶表示部
１３  …アンテナ
１４  …撮像窓（平面型）
１４ａ…撮像窓（凹曲面型）
１５  …撮像レンズ
１６  …撮像素子
１７  …フォーカス位置移動装置
１８  …光源
１９  …ハーフミラー
２０、２０Ａ…保護カバー
２１  …制御部（ＣＰＵ）
２２  …記憶装置
２２ａ…システムプログラム
２２ｂ…通信制御プログラム
２２ｃ…指紋照合プログラム
２２ｄ…登録指紋画像データ
２２ｅ…登録電話番号データ
２３  …キーユニット
２４  …通信ユニット
２５、２５Ａ、２５Ｂ…撮像ユニット
２６  …ＲＡＭ
２６ａ…モードデータメモリ
２６ｂ…撮像位置データメモリ
２６ｃ…照合指紋画像メモリ
２６ｄ…電話帳データメモリ
２６ｅ…ワークメモリ
２７  …表示ユニット
３０  …ミラー
３０ａ，３０ｂ…支持ばね
Ｆ  …指
Ｑ  …撮像軸
Ｒ  …照射光
Ｐ１…カメラモード位置
Ｐ２…指紋認証モード位置
【図１】
0003918427.tif 000002
【図２】
0003918427.tif 000003
【図３】
0003918427.tif 000004
【図４】
0003918427.tif 000005
【図５】
0003918427.tif 000006
【図６】
0003918427.tif 000007
【図７】
0003918427.tif 000008
【図８】
0003918427.tif 000009
【図９】
0003918427.tif 000010
【図１０】
0003918427.tif 000011
【図１１】
0003918427.tif 000012
【図１２】
0003918427.tif 000013
【図１３】
0003918427.tif 000014
【図１４】
0003918427.tif 000015